(57)【要約】【課題】建物構造物への工事を要さずに引き違い戸に容易に装着可能であり、容易に開閉することができ、他方の戸や網戸の開閉にも支障を及ぼさず、かつ外部からの侵入を防止することができる開閉式面格子を提供する。【解決手段】一対の格子板１の側辺同士が連結された折れ扉２と、折れ扉２の折れ止め錠３と、折れ扉２の屈伸にかかわらず一定の滑走方向を維持するようにして折れ扉２の両側縁部の上端に装着された上部ランナー１０及び下部ランナー２０と、上部ランナー１０に配設されて、折れ扉２の延伸方向に面する面からのみ配設位置の調節が可能である外れ止め具１５と、を有する。【選択図】図１
2006299790.tif 000002
【特許請求の範囲】
【請求項１】
一対の格子板の側辺同士が連結され、該連結部にて屈折及び延伸可能に構成された折れ扉と、
前記折れ扉の屈折を阻止及び解除する折れ止め錠と、
前記折れ扉の屈伸にかかわらず一定の滑走方向を維持するようにして前記折れ扉の両側縁部の上端及び下端に装着された上部ランナー及び下部ランナーと、
前記上部ランナーに配設されて、前記折れ扉の延伸方向に面する面からのみ配設位置の調節が可能である外れ止め具と、を有する、開閉式面格子。
【請求項２】
前記上部ランナー及び下部ランナーそれぞれに水平方向の突出長さが調節可能に配設された当接部材を有し、
前記当接部材は、前記折れ扉の延伸方向に面する面からのみ配設位置の調節が可能であって、
前記上部ランナー及び前記下部ランナーの少なくともいずれかは、上方向あるいは下方向の突出長さが突出可能に構成されている、請求項１に記載の開閉式面格子。
【請求項３】
前記上部ランナー及び下部ランナーは、それぞれ螺旋が刻まれた軸を有し、それぞれ該軸が螺旋孔を有するスリーブに螺合され、該スリーブが前記折れ扉の両側縁部の上下端の孔に回動自在に装着され、
前記当接部材は、該当接部材に装着されたボルトが前記上部ランナー及び下部ランナーのボルト孔に螺合された、請求項２に記載の開閉式面格子。
【請求項４】
前記当接部材は、前記配設された外れ止め具を覆って配設される、請求項１に記載の開閉式面格子。
【発明の詳細な説明】
【技術分野】
【０００１】
本発明は、開閉式面格子に関する。特に、引き違い戸に用いられる開閉式面格子に関する。
【背景技術】
【０００２】
図６は、従来の引き違い戸の構造を模式的に示す斜視図である。一般に住宅やオフィスの窓や出入口といった開口部は、例えば図６に示すように枠Ｆには水平方向に引き違って、枠Ｆで囲まれた開口を開閉するように配置された一対の戸Ｄ１，Ｄ２が取り付けられている構造、いわゆる引き違い戸の構造を有している。この戸Ｄ１，Ｄ２は、枠Ｆの上下それぞれに配設された溝あるいは上部レールＵＲ、下部レールＬＲに係合している。また、戸Ｄ１，Ｄ２の重畳部分には施錠具Ｋ１が設けられていて、戸Ｄ１，Ｄ２が外部より開けられることを防止している。さらに、一般的には、戸Ｄ１，Ｄ２の外側には網戸Ｗが配設されている。
【０００３】
ところで、夏期には涼しい外気を室内に取り入れて涼をとったり、換気をしたりするために戸Ｄ１，Ｄ２を開放する場合があるが、この場合には、就寝時や不在時には、防犯上の問題もあり、戸Ｄ１，Ｄ２を締めざるを得ない。
【０００４】
このため、従来、枠Ｆの開口部に装着できる格子戸が種々提案されている。例えば、特許文献１には、サッシ戸のレールに装着される格子戸が提案されている。この公報に示された考案は、種々の枠の端縁構造に適合することができるようなアダプタを有している。また、特許文献２には、格子戸の取付部に位置を上下方向に調整可能な格子戸が提案されている。
【０００５】
他方で、面格子が装着されると、非常時における屋内からの脱出が困難になることから、開閉式の面格子も提案されている（例えば、特許文献３）。
【特許文献１】実開平６−３７４８９号公報
【特許文献２】特開平１０−１８７２５号公報
【特許文献３】特開２００１−１７３３３１
【発明の開示】
【発明が解決しようとする課題】
【０００６】
しかしながら、特許文献１及び２においては、建物開口部周囲に支持フレームを設置する必要がなく、マンション等の集合住宅や賃貸住宅においても簡便に装着することができるが、開口部の開閉には不便であった。つまり、特許文献１及び２の格子戸を開閉するには、格子戸を一端撤去して、再度格子戸を装着する手間を要した。また、特許文献３においては、開口部の開閉は容易であるが、面格子の装着が不便であった。つまり、特許文献３の面格子の取付には、建物開口部周囲に支持フレームを設置する必要があり、工事が必要であった。このことは、マンション等の集合住宅や賃貸住宅においては工事が認められず設置できないという問題があった。
【０００７】
本発明は、上記のような課題を解決するためになされたものであり、建物構造物への工事を要さずに引き違い戸に容易に装着可能であり、容易に開閉することができ、他方の戸や網戸の開閉にも支障を及ぼさず、かつ外部からの侵入を防止することができる開閉式面格子を提供することを目的としている。
【課題を解決するための手段】
【０００８】
本発明者は、上記目的を達成するべく鋭意研究を重ねた結果、引き違い戸のレール溝あるいはレールを利用して、引き違い戸の開口部に開閉式面格子を装着する方法に想到した。
ここで、「引き違い戸」とは、上下に少なくとも２本の平行する溝あるいはレールが形成された建造物の出入口あるいは窓といった開口部の框にそれぞれの溝あるいはレールに戸が嵌め込まれて構成されていて、該戸が水平方向に引き違って、開口部を開閉する戸をいう。
【０００９】
しかしながら、設置された面格子と引き違い戸の開口部との間の間隙が大きいと、屋内への侵入を阻止することができなくなる。また、戸がガラス面を有する場合には、２枚の引き違い戸の閉鎖時にも２枚の引き違い戸のどちらの戸あるいは窓にも沿って面格子が設置できないと、ガラス面を破ることによる屋内への侵入を阻止することができなくなる。こうした問題点に加えて、他方の戸や網戸の開閉にも支障を及ぼさず、引き違い戸の用途に支障を及ぼさないようにするとともに、設置された面格子は外部より取り外し困難な構造にする必要がある。
【００１０】
そこで、本発明者は、面格子を折れ扉より構成するとともに、引き違い戸のレール溝あるいはレールへの折れ扉の取付構造に着目して、設置された折れ扉と引き違い戸の開口部との間の上下方向及び水平方向の間隙を一定限度以下に制限しながら調節して取り付けることができ、かつ折れ扉が引き違い戸内で延伸された状態において、外部より取り外し困難にすることができる取付調節構造を創作した。
【００１１】
これらの研究成果を踏まえ、上記課題を解決するために、本発明の開閉式面格子は、一対の格子板の側辺同士が連結され、該連結部にて屈折及び延伸可能に構成された折れ扉と、
前記折れ扉の屈折を阻止及び解除する折れ止め錠と、
前記折れ扉の屈伸にかかわらず一定の滑走方向を維持するようにして前記折れ扉の両側縁部の上端及び下端に装着された上部ランナー及び下部ランナーと、
前記上部ランナーに配設されて前記折れ扉の延伸方向に面する面からのみ配設位置の調節が可能である外れ止め具と、を有する。（請求項１）。このような構成によって、開閉式面格子は、引き違い戸の框に構成されている溝あるいはレールに上部ランナー及び下部ランナーが係合して装着することができる。また、開閉式面格子は、上下のランナーが開口部の枠のレールあるいはレール溝に沿って滑走して折れ扉が開閉し、折れ止め錠、外れ止め具及び当接部材によって折れ扉は延伸状態時に開口部の枠及び引き違い戸の側面に実質的に固定され、かつ、かかる状態時には、枠及び引き違い戸の側面によって外れ止め具及び当接部材の外部からの取り外しが防止される。つまり、本発明の開閉式面格子は、建物構造物への工事を要さずに引き違い戸に容易に装着可能であり、容易に開閉することができ、他方の戸や網戸の開閉にも支障を及ぼさず、かつ外部からの侵入を防止することができる。ここで、「引き違い戸」とは、上下それぞれに少なくとも２本の平行する溝あるいはレールが形成された建造物の出入口あるいは窓といった開口部の框において、それぞれの溝あるいはレールに戸が嵌め込まれて構成されていて、該戸が水平方向に引き違って、開口部を開閉する戸をいう。
【００１２】
また、前記上部ランナー及び下部ランナーそれぞれに水平方向の突出長さが調節可能に配設された当接部材を有し、前記当接部材は、前記折れ扉の延伸方向に面する面からのみ配設位置の調節が可能であって、前記上部ランナー及び前記下部ランナーの少なくともいずれかは、上方向あるいは下方向の突出長さが突出可能に構成されているとよい（請求項２）。このように構成すると、引き違い戸の開口部の大きさに応じて開閉式面格子を装着することができるので、開閉式面格子の汎用性を向上させることができる。
【００１３】
また、本発明の効果をより確実に得る観点から、前記上部ランナー及び下部ランナーは、それぞれ螺旋が刻まれた軸を有し、それぞれ該軸が螺旋孔を有するスリーブに螺合され、該スリーブが前記折れ扉の両側縁部の上下端の孔に回動自在に装着され、前記当接部材は、該当接部材に装着されたボルトが前記上部ランナー及び下部ランナーのボルト孔に螺合されるとよい（請求項３）。
【００１４】
前記当接部材は、前記配設された外れ止め具を覆って配設されるとよい（請求項４）。このように構成すると、外れ止め具が当接部材によって覆われるので、枠及び引き違い戸の側面によって外れ止め具の外部からの取り外しがより確実に防止される。
【発明の効果】
【００１５】
本発明の開閉式面格子は建物構造物への工事を要さずに引き違い戸に容易に装着可能であるので、集合住宅や賃貸住宅の窓や戸のように従来面格子の装着が困難であった窓や戸に容易に装着できる。加えて、本発明の開閉式面格子は容易に開閉可能であるので、人間が通行するような掃き出し窓のように従来面格子の装着が困難であった窓や戸に容易に装着できる。さらには、本発明の開閉式面格子は他方の戸や網戸の開閉にも支障を及ぼさないので、引き違い戸の用途に支障を及ぼさない。そして、本発明の開閉式面格子は延伸状態時には窓や戸からの取り外しが防止されるので、外部からの侵入を防止することができる。つまり、あまねく広く住宅あるいはオフィスの防犯性を向上させるという効果を奏する。
【発明を実施するための最良の形態】
【００１６】
以下、本発明を実施するための最良の形態について、図面を参照しながら説明する。
【００１７】
（実施の形態１）
まず、本実施の形態の開閉式面格子について説明する。
【００１８】
図１は、本発明の実施の形態１の開閉式面格子の例を模式的に示す斜視図である。
【００１９】
図１において、本実施の形態の開閉式面格子１００は、閉止状態の位置における戸Ｄ１の側面ＤＡと枠Ｆの間に形成される開口部に設置される。他方の戸Ｄ２の位置はどこであっても構わない。
【００２０】
開閉式面格子１００は、一対の格子板１の側辺同士が屈折自在に連結されて構成される折れ扉２を有している。ここでは、一対の格子板１がそれら側面１Ａに装着された蝶番２Ａによって連結されている。これによって、折れ扉２延伸状態時には蝶番２Ａの取付面、すなわち側面１Ａが接合して、蝶番２Ａの取付部には外部から接触することができなくなるので、面格子１００の防犯機能を向上させることができる。
【００２１】
折れ扉２には、折れ扉２が延伸した状態で固定して施錠する折れ止め錠３と、上部ランナー１０と下部ランナー２０とが配設されている。
【００２２】
折れ止め錠３は、一般的な施錠具を用いることができる。ここでは、折れ扉２の延伸状体時に折れ止め錠３に鍵Ｋ２を挿入、旋回して操作することにより錠片（図示せず）が格子板１の側面１Ａに形成された孔３Ａに進退することによって折れ扉２の折れを阻止及び解除することができるように構成されている。折れ止め錠３は、ダイヤル式の鍵で構成されていてもよい。
【００２３】
上部ランナー１０及び下部ランナー２０は、螺旋が刻まれた軸１１を有し、スリーブ７は、内周に螺旋が刻まれている。そして、軸１１がスリーブ７に螺合され、スリーブ７は折れ扉２の両側縁部の上端面の孔４，５に回動自在に嵌め込まれている。これにより、折れ扉２を屈伸させると、スリーブ７が折れ扉２に相対的に回動して、上部ランナー１０及び下部ランナー２０が上部レールＵＲ及び下部レールＬＲをそれぞれ滑走する。すなわち、上部ランナー１０及び下部ランナー２０は折れ扉２の屈伸にかかわらず一定の滑走方向を維持するようにして折れ扉２の両側縁部の上端及び下端に装着されている。
【００２４】
また、スリーブ７を保持しながら、上部ランナー１０及び下部ランナー２０を回すと、軸１１がスリーブ７内を進退移動する。そして、スリーブ７を孔４，５に嵌め込むことによって、上部ランナー１０及び下部ランナー２０の折れ扉２からの上下方向の突出長さが調整される。これにより、折れ扉２を枠Ｆの開口部の高さに合わせて該枠Ｆに装着することができる。
【００２５】
なお、スリーブ７を孔４，５に固定して、折れ扉２の屈伸によって、軸１１がスリーブ７の螺旋部を摺動するように構成してもよい。すなわち、摺動によって軸１１は上下方向に進退するが、折れ扉２の屈伸距離が、軸１１の進退によって枠Ｆからか開閉式面格子１００が外れない程度の距離であれば、支障がない。
【００２６】
さらに、軸１１は最長でも１５ｃｍである。これによって、上部レールＵＲ及び下部レールＬＲと折れ扉２からの上下方向の突出長さは最長でも１５ｃｍまでとすることができる。つまり、成人が通過できるとされている間隔未満に制限することができる。したがって、開閉式面格子１００が装着される引き違い戸Ｄ１の開口部は、上下幅が、折れ扉２の上下幅以上、折れ扉２の上下幅＋３０ｃｍ未満に制限されることになる。
【００２７】
図２は図１の上部ランナーの三面図である。図２に示すように、上部ランナー１０は、本体１２と、本体１２の下面から鉛直方向に延びるように本体１２に溶接等で固定された軸１１と、本体１２の側面に配設された当接部材１３と、外れ止め具１５と、を有して構成されている。
【００２８】
本体１２は、上面に上部レールＵＲが係合される溝部１２Ａが形成されている。なお、本体１２の溝部１２Ａには、樹脂製のＵ溝部材１２Ｃが嵌合されている。これによって、上部ランナー１０の上部レールＵＲとの接触面を滑らかにすることができるので、上部ランナー１０の滑走性が改善するとともに、上部レールＵＲへの傷痕を防止することができる。
【００２９】
本体１２と当接部材１３とは、本体１２内部に当接部材１３が進入できるような構造になっている。ここでは、当接部材１３には側面１３Ｂ、すなわち折れ扉２の延伸方向に面する面に形成された孔１３Ｄにボルト１４が挿通されている。そして、ボルト１４は、側面１３Ｂの背後で止め輪１４Ａによって、軸方向の移動が防止されている。そして、ボルト１４の先端は、本体１２の側面１２Ｂに形成されたボルト孔に挿通されている。これによって、ボルト１４は折れ扉２の延伸方向に面して配設されるので、折れ扉２の延伸状態時において、ボルト１４を捩るには引き違い戸の開口部の枠面、すなわち、枠Ｆ及び戸Ｄ１の側面ＤＡが妨げとなる。つまり、外部から当接部材１３を取り外すことを防止することができる。
【００３０】
ここでは、当接部材１３の側面１３Ｂには、ボルト１４のボルト頭を取り囲むようにして板１３Ｃが取り付けられている。これによって、当接部材１３の側面からボルト頭が突出せずに、折れ扉２の延伸状態時に当接部材１３の板１３Ｃが引き違い戸の開口部の枠面、すなわち、枠Ｆ及び戸Ｄ１の側面ＤＡに当接することができるので、折れ扉２の延伸状態時において外部からボルト１４を捩ることを防止することができる。また、板１３Ｃは樹脂、ゴム等弾性のある材質で構成される。これにより、引き違い戸の開口部の枠面、すなわち、枠Ｆ及び戸Ｄ１の側面ＤＡに傷痕を残さずに当接することができる。
【００３１】
また、当接部材１３はボルト１４の旋回によって本体１２に対して水平方向の突出長さが調整可能にして本体１２に取り付けられる。ここで、当接部材１３の水平方向幅及びボルト１４の螺旋長は１５ｃｍ未満である。これによって、引き違い戸の開口部の枠面、すなわち、枠Ｆあるいは戸Ｄ１の側面ＤＡと折れ扉２との水平方向の突出長さは最長でも１５ｃｍまでとすることができる。つまり、人間が通過できるとされている間隔未満に制限することができる。したがって、開閉式面格子１００が装着される引き違い戸Ｄ１の開口部は、左右幅が、折れ扉２の左右幅以上、折れ扉２の左右幅＋３０ｃｍ未満に制限されることになる。
【００３２】
外れ止め具１５は、本体１２の側面１２Ｂに形成された縦長のボルト孔に通された螺旋１６によって本体１２に配設されている。これによって、折れ扉２の開口部への装着後において、外れ止め具１５が上部レールＵＲに近接して螺旋１６にとって配設されることによって上部レールＵＲから上部ランナー１０の係合の解除を制限し、ひいては開閉式面格子１００の開口部からの取り外しを困難にすることができる。
【００３３】
ここで、側面１２Ｂは折れ扉２の延伸方向に面する面であるので、螺旋１６は折れ扉２の延伸方向に面して配設されることになる。これによって、折れ扉２の延伸状態時において、螺旋１６を捩るには引き違い戸の開口部の枠面、すなわち、枠Ｆ及び戸Ｄ１の側面ＤＡが妨げとなる。つまり、外部から外れ止め具１５を取り外すことを防止することができる。
【００３４】
また、螺旋１６の螺旋頭は当接部材１３の側面１３Ｂによって覆われる。これによって、面格子１００を引き違い戸から取り外すには、ボルト１４を排除して当接部材１３を取り除かないと螺旋１６には接近できないので、外れ止め具１５の外部からの取り外しがより確実に防止され、開閉式面格子１００の侵入防止の機能がさらに向上する。
【００３５】
図３は図１の下部ランナーの三面図である。図３に示すように、下部ランナー２０は、上部ランナー１０と同じ構造であって、外れ止め具１５，螺旋１６及びＵ溝部材１２Ｄが取り除かれて、ローラ２５を有するローラ部材２６が本体１２に取り付けられている点において相違している。したがって、これ以外は、上部ランナー１０と同様なので、相違点のみを説明する。また、図３において図２と同一又は相当する部分には同一の符号を付してその説明を省略する。
【００３６】
図３において、本体１２の溝部１２Ａには、溝部１２Ａに係合される下部レールＬＲ上を滑走するようにローラ２４が取り付けられている。ローラ２４の装着方法は、種々可能であるが、ここでは、Ｕ溝の形状の保持材のＵ溝部にローラ２４がＵ溝方向に回転するようにして取り付けられているローラ部材２５が、本体１２の溝部１２Ａに取り付けられている。ローラ部材２５は、ローラ２４の回転方向が溝部１２Ａの延伸方向と一致するようにして取り付けられている。これによって、下部ランナー２０は下部レールＬＲ上を滑走することができる。
【００３７】
次に、開閉式面格子１００の取付手順を説明する。
【００３８】
まず、折れ扉２を折れ曲がった状態にして、開閉式面格子１００の上部ランナー１０及び下部ランナー２０の溝部１２Ａが、引き違い戸の上部レールＵＲ及び下部レールＬＲに係合するように、長さを調節しながら軸１１を孔４，５に螺合させる。
【００３９】
次に、外れ止め具１５が上部レール１５に近接して、螺旋１６によって、上部ランナー１０の外れ止め具１５を配設する。これによって、上部ランナー１０の溝部１２Ａと上部レールＵＲとの係合、及び下部ランナー２０の溝部１２Ａと下部レールＬＲとの係合の解除は困難となる。
【００４０】
そして、全ての上部ランナー１０及び下部ランナー２０において、ボルト１４を本体１２に螺合させながら、当接部材１３を本体１２に嵌挿する。
【００４１】
そして、折れ扉２を延伸させて、当接部材１３が引き違い戸の開口部の枠面、すなわち、枠Ｆ及び戸Ｄ１の側面ＤＡに当接するように調節する。これによって、開閉式面格子１００が引き違い戸に装着される。開閉式面格子１００は、建家内部側から折れ扉２の格子あるいは屈折部の桟に手をかけて、手前に引くことで容易に開閉できる。また、折れ止め錠３を施錠することによって、開閉式面格子１００の屈折が阻止され、引き違い戸の開口部からの建家内への侵入を阻止することができる。また、図４に示すように、開閉式面格子１００は他方の戸Ｄ２及び網戸Ｗの開閉にも支障を及ぼさないので、開閉式面格子１００の開閉状態にかかわらず、他方の戸Ｄ２及び網戸Ｗを引き違い戸の開口部に配置することができる。
【００４２】
ここで、図４は、引き違い戸に装着される図１の開閉式面格子の装着パターンを示す上面図である。
【００４３】
図４（ａ）に示すように、開閉式面格子１００は、引き違い戸の開口部の枠面、すなわち、枠Ｆ及び戸Ｄ１の側面ＤＡに装着され、図４（ｂ）に示すように必要に応じ、開閉され、開口部を通行することができ、あるいは物品の受け渡しをすることができる。
【００４４】
また、図４（ｃ）に示すように、一対の引き違い戸を閉止した状態において、引き違い戸の戸Ｄ１及びＤ２双方のレールに開閉式面格子１００をそれぞれ装着することができる。これによって、引き違い戸は開閉式面格子１００によって両戸Ｄ１，Ｄ２ともに覆われて、留守時や就寝時の防犯性を高めることができる。
【００４５】
以上、本発明の開閉式面格子１００の構成によって、上部ランナー１０及び下部ランナー２０は開口部の枠Ｆの上部及び下部のレールあるいはレール溝、ここでは上部レールＵＲ及び下部レールＬＲに滑走可能に係合され、外れ止め具１５は係合後に螺旋１６によってその係合の解除を制限するように配設され、当接部材１３はボルト１４によって折れ扉２の延伸状態時に前記開口部の枠面、すなわち、枠Ｆ及び戸Ｄ１の側面ＤＡに当接するように配設され、かつ折れ扉２が延伸状態時に引き違い戸の開口部の枠面、すなわち、枠Ｆ及び戸Ｄ１の側面ＤＡに対向する当接部材１３の面１３Ｂ内に当接部材１３のボルト１４が配設され、当接部材１３で覆われている本体１２の側面１２Ｂ内に外れ止め具１５の螺旋１６が配設されている。これによって、本発明の開閉式面格子１００は、建物構造物への工事を要さずに引き違い戸に容易に装着可能であり、容易に開閉することができ、他方の戸や網戸の開閉にも支障を及ぼさず、かつ外部からの侵入を防止することができる。したがって、従来面格子の装着が困難であった集合住宅や賃貸住宅の窓や戸に容易に装着でき、あまねく広く、住宅の防犯性を向上させることができる。
【００４６】
また、当接部材１３は、水平方向の突出長さが調節可能に配設されていて、折れ扉２の延伸状態において開口部の枠Ｆ及び戸Ｄ１の側面ＤＡに対抗する面、すなわち折れ扉２の延伸方向に面する面からのみ配設位置の調節が可能であって、かつ上部ランナー１０及び下部ランナー２０の少なくともいずれかは、上方向あるいは下方向の突出長さが突出可能に構成されているので、引き違い戸の開口部の大きさに応じて開閉式面格子１００を装着することができるので、開閉式面格子１００の汎用性を向上させることができる。
（実施の形態２）
実施の形態２は、実施の形態１の上部ランナー１０、下部ランナー２０及スリーブ７の構造を簡略化した実施の形態である。したがって、これら以外の構成は、実施の形態１と同様なので、相違点のみを説明する。
【００４７】
図５は、本発明の実施の形態２の開閉式面格子の実施例を模式的に示す斜視図である。
【００４８】
本実施形態の開閉式面格子２００では、上部ランナー２１０及び下部ランナー２２０は軸２１１を有し、軸２１１がスリーブ２０７に嵌合されている。
【００４９】
スリーブ２０７は、折れ扉２の両側縁部の上端面の孔４，５に嵌め込まれている。そして、スリーブ２０７の内面周囲の凸部と軸２１１周囲の凹部とが回動自在に嵌合されている。したがって、折れ扉２の屈伸に応じて軸２１１とスリーブ２０７とは回動しながら、上部ランナー１０及び下部ランナー２２０は上部レールＵＲ及び下部レールＬＲをそれぞれ滑走することができる。
【００５０】
なお、上部ランナー２１０及び下部ランナー２２０は、本体１２と、本体１２の下面から鉛直方向に延びるように本体１２に溶接等で固定された軸１１と、本体１２の側面に配設された当接部材１３と、外れ止め具１５と、を有して構成されている。
【００５１】
上部ランナー２１０及び下部ランナーの本体２１２は、図示しないが、実施の形態１と同様に、上面あるいは下面に上部レールＵＲあるいは下部レールＬＲが係合される溝部が形成されていて、樹脂製のＵ溝部材が嵌合されている。しかし、上部ランナー２１０及び下部ランナーの本体２１２は、当接部材１３を有さず、本体２１２の端面が折れ扉２の延伸状態において、開口部の枠面、すなわち枠Ｆ及び戸Ｄ１の側面ＤＡに当接するように構成されている。
【００５２】
次に、開閉式面格子２００の取り付けは、開閉式面格子２００を延伸状態あるいは屈折状態で、上部ランナー２１０及び下部ランナー２２０の溝部１２Ａが、引き違い戸の上部レールＵＲ及び下部レールＬＲに係合させることによって行う。実施の形態１のような調整作業は必要ない。
【００５３】
以上のように、規格された引き違い戸においては、本実施形態の開閉式面格子２００が好適であり、実施の形態１に比べ、構造を簡単にすることができる。
【００５４】
本発明の実施の形態について詳細に説明したが、本発明は上記実施の形態に限定されるものではない。例えば、上部ランナー及び下部ランナーの構造およびこれらの装着構造を、他の一般的な構造によって代替することもできる。また、実施の形態１において、ボルト１４は側面１３Ｃに設けられた凹部にボルト頭が収容されるように構成されてもよい。これによって、板１３を薄い布材、ゴム材等で構成し、あるいは不要にすることができる。
【産業上の利用可能性】
【００５５】
本発明の開閉式面格子は建物構造物への工事を要さずに引き違い戸に容易に装着可能であるので、集合住宅や賃貸住宅の窓や戸のように従来面格子の装着が困難であった窓及び戸に容易に装着できる。加えて、本発明の開閉式面格子は容易に開閉可能であるので、人間が通行するような掃き出し窓のように従来面格子の装着が困難であった窓及び戸に容易に装着できる。さらには、本発明の開閉式面格子は他方の戸や網戸の開閉にも支障を及ぼさないので、引き違い戸の用途に支障を及ぼさない。そして、本発明の開閉式面格子は延伸状態時には窓や戸からの取り外しが防止されるので、外部からの侵入を防止することができる。つまり、本発明の開閉式面格子はあまねく広く住宅あるいはオフィスの防犯性を向上させる開閉式面格子として有用である。
【図面の簡単な説明】
【００５６】
【図１】本発明の実施の形態１の開閉式面格子の実施例を模式的に示す斜視図である。
【図２】図１の上部ランナーの三面図である。
【図３】図１の下部ランナーの三面図である。
【図４】引き違い戸に装着される図１の開閉式面格子の装着パターンを示す上面図である。
【図５】本発明の実施の形態２の開閉式面格子の実施例を模式的に示す斜視図である。
【図６】引き違い戸の構造を模式的に示す斜視図である。
【符号の説明】
【００５７】
１  格子戸
１Ａ  側面
２  折れ扉
２Ａ  蝶番
３  折れ止め錠
３Ａ  孔
４、５  孔
７  スリーブ
１０、２１０  上部ランナー
１１、２１１  軸
１２、２１２  本体
１２Ａ  溝部
１２Ｂ  側面
１２Ｃ  Ｕ溝部材
１３  当接部材
１３Ｂ  側面
１３Ｃ  板
１３Ｄ  孔
１４  ボルト
１４Ａ  止め輪
１５  外れ止め具
１６  螺旋
２０、２２０  下部ランナー
２５  ローラ
２６  ローラ部材
１００、２００  開閉式面格子
Ｄ１，Ｄ２  戸
ＤＡ  側面
Ｆ  枠
Ｋ１  施錠具
Ｋ２  鍵
ＵＲ  上部レール
ＬＲ  下部レール
Ｗ  網戸
【図１】
2006299790.tif 000003
【図２】
2006299790.tif 000004
【図３】
2006299790.tif 000005
【図４】
2006299790.tif 000006
【図５】
2006299790.tif 000007
【図６】
2006299790.tif 000008
【手続補正書】
【提出日】平成18年2月24日(2006.2.24)
【手続補正１】
【補正対象書類名】特許請求の範囲
【補正対象項目名】請求項１
【補正方法】変更
【補正の内容】
【請求項１】
一対の格子板の側辺同士が連結部を介して連結され、該連結部にて屈折及び延伸可能に構成された折れ扉と、
屈折可能な前記折れ扉の屈折を阻止する折れ止め錠と、
前記折れ扉の屈伸にかかわらず一定の滑走方向を維持するようにして前記折れ扉の両側縁部の上端及び下端に装着された上部ランナー及び下部ランナーと、
前記上部ランナーの前記折れ扉の延伸方向に面する面において、引き違い戸の框に近接して配設されることによって前記引き違い戸の框から開閉式面格子が外れることを防止する外れ止め具と、を有する、開閉式面格子。
【手続補正２】
【補正対象書類名】特許請求の範囲
【補正対象項目名】請求項２
【補正方法】変更
【補正の内容】
【請求項２】
前記上部ランナー及び下部ランナーそれぞれに水平方向の突出長さが調節可能に配設された当接部材を有し、
前記当接部材は、前記折れ扉の延伸方向に面する面からのみ配設位置の調節が可能であって、
前記上部ランナー及び前記下部ランナーの少なくともいずれかは、前記折れ扉の両側縁部の上端あるいは下端から上方向あるいは下方向の突出長さが調整可能に構成されている、請求項１に記載の開閉式面格子。
【手続補正３】
【補正対象書類名】特許請求の範囲
【補正対象項目名】請求項４
【補正方法】変更
【補正の内容】
【請求項４】
前記当接部材は、配設された前記外れ止め具を覆って配設される、請求項２に記載の開閉式面格子。
【手続補正４】
【補正対象書類名】明細書
【補正対象項目名】００１１
【補正方法】変更
【補正の内容】
【００１１】
これらの研究成果を踏まえ、上記課題を解決するために、本発明の開閉式面格子は、一対の格子板の側辺同士が連結部を介して連結され、該連結部にて屈折及び延伸可能に構成された折れ扉と、
屈折可能な前記折れ扉の屈折を阻止する折れ止め錠と、
前記折れ扉の屈伸にかかわらず一定の滑走方向を維持するようにして前記折れ扉の両側縁部の上端及び下端に装着された上部ランナー及び下部ランナーと、
前記上部ランナーの前記折れ扉の延伸方向に面する面において、引き違い戸の框に近接して配設されることによって前記引き違い戸の框から開閉式面格子が外れることを防止する外れ止め具と、を有する。（請求項１）。このような構成によって、開閉式面格子は、引き違い戸の框に構成されている溝あるいはレールに上部ランナー及び下部ランナーが係合して装着することができる。また、開閉式面格子は、上下のランナーが開口部の枠のレールあるいはレール溝に沿って滑走して折れ扉が開閉し、折れ止め錠、外れ止め具及び当接部材によって折れ扉は延伸状態時に開口部の枠及び引き違い戸の側面に実質的に固定され、かつ、かかる状態時には、枠及び引き違い戸の側面によって外れ止め具及び当接部材の外部からの取り外しが防止される。つまり、本発明の開閉式面格子は、建物構造物への工事を要さずに引き違い戸に容易に装着可能であり、容易に開閉することができ、他方の戸や網戸の開閉にも支障を及ぼさず、かつ外部からの侵入を防止することができる。ここで、「引き違い戸」とは、上下それぞれに少なくとも２本の平行する溝あるいはレールが形成された建造物の出入口あるいは窓といった開口部の框において、それぞれの溝あるいはレールに戸が嵌め込まれて構成されていて、該戸が水平方向に引き違って、開口部を開閉する戸をいう。
【手続補正５】
【補正対象書類名】明細書
【補正対象項目名】００１２
【補正方法】変更
【補正の内容】
【００１２】
また、前記上部ランナー及び下部ランナーそれぞれに水平方向の突出長さが調節可能に配設された当接部材を有し、前記当接部材は、前記折れ扉の延伸方向に面する面からのみ配設位置の調節が可能であって、前記上部ランナー及び前記下部ランナーの少なくともいずれかは、前記折れ扉の両側縁部の上端あるいは下端から上方向あるいは下方向の突出長さが調整可能に構成されているとよい（請求項２）。このように構成すると、引き違い戸の開口部の大きさに応じて開閉式面格子を装着することができるので、開閉式面格子の汎用性を向上させることができる。
【手続補正６】
【補正対象書類名】明細書
【補正対象項目名】００１４
【補正方法】変更
【補正の内容】
【００１４】
前記当接部材は、配設された前記外れ止め具を覆って配設されるとよい（請求項４）。このように構成すると、外れ止め具が当接部材によって覆われるので、枠及び引き違い戸の側面によって外れ止め具の外部からの取り外しがより確実に防止される。
【手続補正書】
【提出日】平成18年5月2日(2006.5.2)
【手続補正１】
【補正対象書類名】特許請求の範囲
【補正対象項目名】請求項１
【補正方法】変更
【補正の内容】
【請求項１】
一対の格子板の側辺同士が連結部を介して連結され、該連結部にて屈折及び延伸可能に構成された折れ扉と、
屈折可能な前記折れ扉の屈折を阻止する折れ止め錠と、
前記折れ扉の屈伸にかかわらず一定の滑走方向を維持するようにして前記折れ扉の両側縁部の上端及び下端に装着された上部ランナー及び下部ランナーと、
前記上部ランナーの前記折れ扉の延伸方向に面する面からのみ上下方向への配設位置の調節が可能となるように前記上部ランナーに配設されて、引き違い戸の上框のレール溝と前記上部ランナーとの係合の解除を制限することによって前記引き違い戸の框から開閉式面格子が外れることを防止する外れ止め具と、を有する、開閉式面格子。
【手続補正２】
【補正対象書類名】明細書
【補正対象項目名】００１１
【補正方法】変更
【補正の内容】
【００１１】
これらの研究成果を踏まえ、上記課題を解決するために、本発明の開閉式面格子は、一対の格子板の側辺同士が連結部を介して連結され、該連結部にて屈折及び延伸可能に構成された折れ扉と、
屈折可能な前記折れ扉の屈折を阻止する折れ止め錠と、
前記折れ扉の屈伸にかかわらず一定の滑走方向を維持するようにして前記折れ扉の両側縁部の上端及び下端に装着された上部ランナー及び下部ランナーと、
前記上部ランナーの前記折れ扉の延伸方向に面する面からのみ上下方向への配設位置の調節が可能となるように前記上部ランナーに配設されて、引き違い戸の上框のレール溝と前記上部ランナーとの係合の解除を制限することによって前記引き違い戸の框から開閉式面格子が外れることを防止する外れ止め具と、を有する。（請求項１）。このような構成によって、開閉式面格子は、引き違い戸の框に構成されている溝あるいはレールに上部ランナー及び下部ランナーが係合して装着することができる。また、開閉式面格子は、上下のランナーが開口部の枠のレールあるいはレール溝に沿って滑走して折れ扉が開閉し、折れ止め錠、外れ止め具及び当接部材によって折れ扉は延伸状態時に開口部の枠及び引き違い戸の側面に実質的に固定され、かつ、かかる状態時には、枠及び引き違い戸の側面によって外れ止め具及び当接部材の外部からの取り外しが防止される。つまり、本発明の開閉式面格子は、建物構造物への工事を要さずに引き違い戸に容易に装着可能であり、容易に開閉することができ、他方の戸や網戸の開閉にも支障を及ぼさず、かつ外部からの侵入を防止することができる。ここで、「引き違い戸」とは、上下それぞれに少なくとも２本の平行する溝あるいはレールが形成された建造物の出入口あるいは窓といった開口部の框において、それぞれの溝あるいはレールに戸が嵌め込まれて構成されていて、該戸が水平方向に引き違って、開口部を開閉する戸をいう。